(57)【特許請求の範囲】
【請求項１】
前面が開口した埋込型のスイッチボックスと、スイッチ取付孔およびリモコン取付孔を有し前記スイッチボックスの前面に取付けられるスイッチ取付プレートと、このスイッチ取付プレートの前記スイッチ取付孔に嵌め込み状に取付けられる照明スイッチと、前記スイッチ取付プレートのリモコン取付孔に嵌め込み状態に取付けられる空調用リモートコントロールスイッチと、前記照明スイッチおよび空調用リモートコントロールスイッチ操作子を露出させて前記スイッチ取付プレートの外側から前記スイッチボックスを覆うカバープレートとを備え、前記スイッチ取付プレートが、複数個の照明スイッチを一列に嵌め込んで取付可能な細長形状の複数連用のスイッチ取付孔を有し、前記リモコン取付孔が、前記複数連用スイッチ取付孔の長辺の横側に並んで設けられて、並び間隔と前記複数連用スイッチ取付孔の短辺幅の２倍の幅とを加えた並び方向幅、および複数連用スイッチ取付孔の長辺幅に等しい並び方向直交幅の矩形孔である空調・照明スイッチボックス装置。
【請求項２】
前記スイッチ取付プレートを複数枚並設し、前記カバープレートを前記複数のスイッチ取付プレートにわたって覆う大きさのものとした請求項１記載の空調・照明スイッチボックス装置。
【請求項３】
前記スイッチ取付プレートのスイッチ取付孔に、照明スイッチ以外のスイッチまたは他の電気部品を取付けた請求項１または請求項２記載の空調・照明スイッチボックス装置。
【請求項４】
請求項１記載の空調・照明スイッチボックス装置において、スイッチ取付プレートに複数連用のスイッチ取付孔を設けずに、前記形状のリモコン取付孔を複数設けた空調・照明スイッチボックス装置。
【請求項５】
請求項１記載の空調・照明スイッチボックス装置の施工方法であって、前記スイッチ取付プレートとして、前記複数連用のスイッチ取付孔がその長辺の横側に並んで３個以上設けられかつ前記リモコン取付孔が未形成のものを準備し、隣合う２個のスイッチ取付孔間の部分を切除して１個の大きなリモコン取付孔とする空調・照明スイッチボックス装置の施工方法。
【発明の詳細な説明】
【０００１】
【産業上の利用分野】
この発明は、住宅やビル等の各種の建物に設置される空調・照明スイッチボックス装置およびその施工方法に関する。
【０００２】
【従来の技術】
住宅等の壁面に照明スイッチを取付ける場合、図２７のような構造が一般に採られる。すなわち、埋込型のスイッチボックス５１を壁５０内に設け、電線管６０から引き込んだ電気配線５２に照明スイッチ５３を接続する。照明スイッチ５３はスイッチ取付プレート５４のスイッチ取付孔５４ａに取付け、スイッチ取付プレート５４をビス５５でスイッチボックス５１の前面に取付ける。その外側に、ビス５６でカバー取付枠５７を取付け、スイッチ５３の操作子の露出窓５８ａを有するカバープレート５８をカバー取付枠５７に取付ける。
一方、図２８（Ａ），（Ｂ）に一例を示すように、空調用リモートコントロールスイッチ（以下「空調リモコン」と称す）５９は露出型のものしかなく、壁５０の外面にビス止めしている。
【０００３】
【発明が解決しようとする課題】
しかし、このように同じ壁面に全く外観仕様の異なる埋め込み型の照明スイッチ５３と露出型の空調リモコン５９とが並んで設けられるため、雑多で見栄えが悪い。しかも、このように埋め込み型の照明スイッチ５３と露出型の空調リモコン５９とを並設する場合、スイッチボックス５１と空調リモコン５９の間に例えば１５０〜２００mm程度の広い間隔が必要となり、壁面のスペースを取る。さらに、照明スイッチ５３と空調リモコン５９とは取付方法が全く異なり、取付業者も各々別の手（電工と設備工）で行われることになり、共通点が一切ないため、施工性が悪いうえ、両スイッチ５３，５９の取付位置にレベル差が生じることが多く、一層見栄えが悪くなる。
【０００４】
この発明の目的は、照明スイッチと空調用リモートコントロールスイッチを、一か所に集中させて取付けることができて、納まりの見栄えが良く、壁面の取付スペースも小さくて済み、施工性の向上も図れる空調・照明スイッチボックス装置を提供することである。
この発明の他の目的は、規格品のスイッチ取付プレートを空調用リモートコントロールスイッチの取付けにも使用することのできる空調・照明スイッチボックス装置およびその施工方法を提供することである。
【０００５】
【課題を解決するための手段】
この発明の空調・照明スイッチボックス装置は、前面が開口した埋込型のスイッチボックスと、スイッチ取付孔およびリモンコン取付孔を有し前記スイッチボックスの前面に取付けられるスイッチ取付プレートと、このスイッチ取付プレートの前記スイッチ取付孔に嵌め込み状に取付けられる照明スイッチと、前記スイッチ取付プレートのリモコン取付孔に嵌め込み状態に取付けられる空調用リモートコントロールスイッチと、前記照明スイッチおよび空調用リモートコントロールスイッチの操作子を露出させて前記スイッチ取付プレートの外側から前記スイッチボックスを覆うカバープレートとを備えたものである。
また、この発明装置は、上記スイッチボックス装置において、前記スイッチ取付プレートを、複数個の照明スイッチを一列に嵌め込んで取付可能な細長形状の複数連用のスイッチ取付孔を有するものとし、前記リモコン取付孔を、前記複数連用スイッチ取付孔の長辺の横側に並んで設けられて、並び間隔と前記複数連用スイッチ取付孔の短辺幅の２倍の幅とを加えた並び方向幅、および複数連用スイッチ取付孔の長辺幅に等しい並び方向直交幅の矩形孔としたものである。
請求項２の発明装置は、この発明装置において、前記スイッチ取付プレートを複数個並設し、前記カバープレートを前記複数のスイッチ取付プレートにわたって覆う大きさとしたものである。
請求項３の発明装置は、前記各発明の構成において、前記スイッチ取付プレートのスイッチ取付孔に、照明スイッチ以外のスイッチまたは他の電気部品を取付けたものである。
請求項４の発明装置は、請求項１記載の空調・照明スイッチボックス装置において、スイッチ取付プレートに複数連用のスイッチ取付孔を設けずに、前記形状のリモコン取付孔を複数設けたものである。
この発明の空調・照明スイッチボックス装置の施工方法は、前記スイッチ取付プレートとして、複数連用のスイッチ取付孔がその長辺の横側に並んで３個以上設けられかつ前記リモコン取付孔が未形成のものを準備し、隣合う２個のスイッチ取付孔間の部分を切除して１個の大きなリモコン取付孔とする方法である。
【０００６】
【作用】
この構成によると、空調用リモートコントロールスイッチと照明スイッチとを同じスイッチボックス内に納めて同じカバープレートで覆うため、納まりの見栄えが良く、壁面の取付スペースが小さくて済む。また、同一のスイッチボックス内に納めることから、施工性が良く、取付位置の差も生じず、品質の向上にもつながる。
また、スイッチ取付プレートにおけるリモコン取付孔の位置および大きさをスイッチ取付孔に応じた所定形状としたため、規格品のスイッチ取付プレートを改造して空調用リモートコントロールスイッチを取付けることができる。すなわち、この発明方法のように、隣合う２個のスイッチ取付孔間の部分を切除して１個の大きなリモコン取付孔とできる。この切除は、狭い幅の孔間部分の両端をペンチ等の手工具で切るだけで行えるため、現場で簡単に行える。照明スイッチ等をまとめて配置する場合の配置形態や個数は、建物等によって種々の要望があるが、このように規格品のスイッチ取付プレートを改造して使用することで、多種類のスイッチ取付プレートを準備する必要がなく、安価に施工できる。また、部品管理も容易となる。
請求項２の発明装置の場合は、スイッチ取付プレートを複数枚並設するので、１枚のスイッチ取付プレートでは取付けられない多数のスイッチ類を１か所に集中させて配置でき、しかも同じカバープレートで覆うため、見栄えの良いものとなる。
請求項３の発明装置によると、スイッチ取付プレートとして一種類のものを用意するだけで、照明スイッチや空調リモコン以外のスイッチや他の電気部品も取付けることができる。
請求項４の発明装置の場合は、照明スイッチは取付けられないが、照明スイッチ用の規格品のスイッチ取付プレートを簡単に改造して複数の空調用リモートコントロールスイッチを取付けることができる。
【０００７】
【実施例】
この発明の第１の実施例を図１に基づいて説明する。この実施例の空調・照明スイッチボックス装置は、１個の空調用リモートコントロールスイッチ１と３個の照明スイッチ２とを、図１（Ａ）の構成により壁面の一か所に集中させて取付けるようにしたものである。すなわち、この空調・照明スイッチボックス装置は、前面が開口した埋込型のスイッチボックス３と、前記空調用リモートコントロールスイッチ１および照明スイッチ２が取付けられるスイッチ取付プレート４と、カバー取付枠５と、カバープレート６とからなる。
【０００８】
前記スイッチボックス３は、その前面開口の上下縁に前記スイッチ取付プレート４をビス止めする取付舌片７を有し、前記空調用リモートコントロールスイッチ１と照明スイッチ２を取付ける壁内に埋込む。これらスイッチ１，２に接続する壁内の電気配線８，８は、スイッチボックス３の囲壁の穴からスイッチボックス３の内に引き込む。壁内の電気配線８は電線管９に挿通されたものでも、電線管９を使用しないケーブルであっても良い。
【０００９】
前記スイッチ取付プレート４は、３個の照明スイッチ２を縦一列に嵌め込んで取付可能な細長形状の１つの複数連用のスイッチ取付孔１０と、このスイッチ取付孔１０の長辺の横側に並ぶリモコン取付孔１１を有する。複数連用スイッチ取付孔１０には３個の照明スイッチ２を取付け、これら各照明スイッチ２に電気配線８を接続する。
リモコン取付孔１１は、その並び方向幅が、スイッチ取付孔１０との並び間隔と、スイッチ取付孔１０の短辺幅の２倍の幅とを加えた寸法で、並び方向に直交する方向の幅が、前記スイッチ取付孔１０の長辺幅に等しい寸法である矩形孔としてある。このリモコン取付孔１１に空調用リモートコントロールスイッチ１を取付け、空調用リモートコントロールスイッチ１に配線コード８を接続する。
なお、スイッチ取付プレート４は、予めリモコン取付孔１１を前記の形状に製造したものであっても良く、また次のように規格品の照明等用のスイッチ取付プレートを改造して用いても良い。すなわち、スイッチ取付プレート４は、複数連用スイッチ取付孔１０が３個並べて設けられたものを用い、隣接する２つのスイッチ取付孔１０，１０の鎖線で示す孔間部分４ａを取付現場等で切除することによってリモコン取付孔１１を形成してもよい。
スイッチ取付プレート４は、ビス１２を挿通させるビス挿通孔１４と、別のビス１３のねじ孔１５とを有し、前記ビス挿通孔１４を介してビス１２を前記スイッチボックス３の取付舌片７にねじ止めすることにより、スイッチボックス３の前面に固定する。
【００１０】
カバー取付枠５は、カバープレート６を取り付ける金属製の取付枠であって、前記ビス１３のビス挿通孔１６を有する。このビス挿通孔１６を介してビス１３をスイッチ取付プレート４のねじ孔１５にねじ込むことにより、カバー取付枠５をスイッチ取付プレート４の前部に固定する。
カバープレート６は、照明スイッチ２の操作子２ａおよび空調用リモートコントロールスイッチ１の前部を露出させる開口１７，１８を有し、前記カバー取付枠５に取付ける。各開口１７，１８は、スイッチ取付プレート４の複数連用スイッチ取付孔１０およびリモコン取付孔１１にほぼ整合する大きさとしてある。
【００１１】
この空調・照明スイッチボックス装置は、このようにして図１（Ｂ）に示すように１個の空調用リモートコントロールスイッチ１と縦１列の３個の照明スイッチ２とを、一か所に集中させて統一した納まりで壁面に取り付けることができる。そのためカバープレート６の納まりが美しく、また壁の取付スペースを最小限とすることができる。さらに、同一のスイッチボックス３内に空調用リモートコントロールスイッチ１と照明スイッチ２とを納めるため、施工性が良く、品質の向上にもつながる。なお、スイッチ取付プレート４のスイッチ取付孔１０には照明スイッチ２に限らず、放送アッテネータや換気ロスナイ（商品名）等のスイッチあるいは他の電気部品を取付けても良い。
【００１２】
この発明の第２の実施例を図２に基づいて説明する。この実施例の空調・照明スイッチボックス装置は、１個の空調用リモートコントロールスイッチ１と３個の照明スイッチ２と、さらに別の１個のスイッチ２２とを、図２（Ａ）に分解して示す部材構成により壁面の一か所に集中させて取付けるようにしたものである。この空調・照明スイッチボックス装置の場合も、前面が開口した埋込型のスイッチボックス３Ａと、前記空調用リモートコントロールスイッチ１、照明スイッチ２および別のスイッチ２２が直接取付けられるスイッチ取付プレート４Ａと、カバー取付枠５Ａと、カバープレート６Ａとからなる。
【００１３】
前記スイッチ取付プレート４Ａは、互い横並びとした２つの複数連用スイッチ取付孔１０，１０と、１つのリモコン取付孔１１とを有する。１つの複数連用スイッチ取付孔１０には３個の照明スイッチ２を取付け、他の１つの複数連用スイッチ取付孔１０には１個のスイッチ２２を取付ける。
リモコン取付孔１１は、先の実施例の場合と同様であり、隣接する２つのスイッチ取付孔１０，１０の鎖線で示す孔間部分４ａを取付現場で切除することによってリモコン取付孔１１を形成してもよい。このリモコン取付孔１１に空調用リモートコントロールスイッチ１を取付ける。これら空調用リモートコントロールスイッチ１、照明スイッチ２および他のスイッチ２２には、前記スイッチボックス３Ａ内に引き込んだ対応する電気配線を接続する。
スイッチボックス３Ａ、カバー取付枠５Ａおよびカバープレート６Ａは、前記スイッチ取付プレート４Ａが横方向に長くなった分だけ幅寸法を大きくしてある。カバープレート６Ａは、前記照明スイッチ２、空調用リモートコントロールスイッチ１および他のスイッチ２２の操作子等を露出させる開口１７，１８，１９を有する。その他の構成は先の実施例と同様である。
【００１４】
このような構成によって、図２（Ｂ）に示すように１個の空調用リモートコントロールスイッチ１と、縦１列の３個の照明スイッチ２と、他の１個のスイッチ２２とが横に並ぶ配列で、これらのスイッチを一か所に集中させて壁面に取り付けることができる。
【００１５】
この発明の第３の実施例を図３に基づいて説明する。この実施例の空調・照明スイッチボックス装置は、２個の空調用リモートコントロールスイッチ１と３個の照明スイッチ２と、さらに別の１個のスイッチ２２とを、図３（Ａ）に分解して示す部材構成により壁面の一か所に集中させて取付けるようにしたものである。この空調・照明スイッチボックス装置の場合も、前面が開口した埋込型のスイッチボックス３Ｂと、前記空調用リモートコントロールスイッチ１、照明スイッチ２および別のスイッチ２２が直接取付けられるスイッチ取付プレート４Ｂと、カバー取付枠５Ｂと、カバープレート６Ｂとからなる。
【００１６】
前記スイッチ取付プレート４Ｂは、互い横並びとした２つの複数連用スイッチ取付孔１０，１０と、これに横並びとした２つのリモコン取付孔１１とを有する。１つの複数連用スイッチ取付孔１０には３個の照明スイッチ２を取付け、他の１つの複数連用スイッチ取付孔１０には１個のスイッチ２２を取付ける。
２つのリモコン取付孔１１は、先の実施例の場合と同様であり、隣接する２つのスイッチ取付孔１０，１０の鎖線で示す孔間部分４ａを取付現場で切除することによってリモコン取付孔１１を形成してもよい。各リモコン取付孔１１には空調用リモートコントロールスイッチ１を取付ける。これら空調用リモートコントロールスイッチ１、照明スイッチ２および他のスイッチ２２には、前記スイッチボックス３Ｂ内に引き込んだ対応する電気配線を接続する。
スイッチボックス３Ｂ、カバー取付枠５Ｂおよびカバープレート６Ｂは、前記スイッチ取付プレート４Ｂが横方向に長くなった分だけ幅寸法を大きくしてある。カバープレート６Ｂは、前記照明スイッチ２、空調用リモートコントロールスイッチ１および他のスイッチ２２の操作子等を露出させる開口１７，１８，１９を有する。その他の構成は先の実施例と同様である。
【００１７】
このような構成によって、図３（Ｂ）に示すように２個の空調用リモートコントロールスイッチ１と、縦１列の３個の照明スイッチ２と、他の１個のスイッチ２２とが横に並ぶ配列で、これらのスイッチを一か所に集中させて壁面に取り付けることができる。
【００１８】
参考提案例を図４に基づいて説明する。この参考提案例の空調・照明スイッチボックス装置は、１個の空調用リモートコントロールスイッチ１と３個の照明スイッチ２とを、図４（Ａ）に分解して示す部材構成により壁面の一か所に集中させて取付けるようにしたものである。この空調・照明スイッチボックス装置は、前面が開口した２個の埋込型スイッチボックス３Ｃ，３Ｃと、前記空調用リモートコントロールスイッチ１、照明スイッチ２が直接取付けられる２個のスイッチ取付プレート４Ｃ，４Ｃと、カバー取付枠５Ｃと、カバープレート６Ｃとからなる。
【００１９】
上側のスイッチ取付プレート４Ｃは１つのリモコン取付孔１１を有し、下側のスイッチ取付プレート４Ｃは横並びの２つの複数連用スイッチ取付孔１０，１０を有する。下側のスイッチ取付プレート４Ｃの一つの複数連用スイッチ取付孔１０には３個の照明スイッチ２を取付け、他の１つの複数連用スイッチ取付孔１０は予備として残す。
上段のリモコン取付孔１１は、先の実施例の場合と同様であり、隣接する２つのスイッチ取付孔１０，１０の鎖線で示す孔間部分４ａを取付現場で切除することによってリモコン取付孔１１を形成してもよい。リモコン取付孔１１には空調用リモートコントロールスイッチ１を取付ける。これら空調用リモートコントロールスイッチ１、照明スイッチ２には、前記スイッチボックス３Ｃ内に引き込んで対応する電気配線を接続する。
２つのスイッチボックス３Ｃ，３Ｃおよびスイッチ取付プレート４Ｃ，４Ｃは先の実施例の場合と同じ縦寸法のものであり、装置全体の縦寸法が先の実施例の場合の２倍になったのに対応させるために縦に並べて配置する。カバー取付枠５Ｃおよびカバープレート６Ｃは、縦寸法を前記実施例の２倍にしてある。カバー取付枠５Ｃは上下２個に分けても良い。カバープレート６Ｃにおいては、前記スイッチ取付プレート４Ｃにおける前記空調用リモートコントロールスイッチ１および照明スイッチ２の配置に合わせて、これらのスイッチ１，２の操作子等を露出させる開口１８，１７が上下段に分けて配置されている。その他の構成は先の実施例と同様である。
【００２０】
このような構成によって、図４（Ｂ）に示すように１個の空調用リモートコントロールスイッチ１と、縦１列の３個の照明スイッチ２とが上下２段に分かれて並ぶ配列で、これらのスイッチを一か所に集中させて壁面に取り付けることができる。また、このようにスイッチボックス３Ｃおよびスイッチ取付プレート４Ｃを上下２個に分けて設けることにより、規格品が使用できる。すなわち、スイッチ取付プレートの規格品としては、現状では最大で３連用のスイッチ取付孔１１が横１列に６個設けられたもの（１８個用）しかないが、前記のように上下複数段にスイッチボックス３Ｃおよびスイッチ取付プレート４Ｃを設けることで規格品の使用ができる。カバープレート６Ｃは全体を覆う１枚のものを使用することで見栄えを良くする。
【００２１】
なお、図４の参考提案例において、縦に並べた２つのスイッチボックス３Ｃ，３Ｃに代えて、図５に分解して示す部材構成のように、縦寸法を先のスイッチボックス３Ｃの２倍とした１つのスイッチボックス３Ｃ1 を用いてもよい。その他の構成は前記実施例と同様である。
【００２２】
この発明のさらに他の実施例を図６に基づいて説明する。この実施例の空調・照明スイッチボックス装置は、３個の空調用リモートコントロールスイッチ１と３個の照明スイッチ２と、別の１個のスイッチ２２とを、図６に分解して示す部材構成により壁面の一か所に集中させて取付けるようにしたものである。この空調・照明スイッチボックス装置は、前面が開口した２個の埋込型スイッチボックス３Ｄと、前記空調用リモートコントロールスイッチ１、照明スイッチ２，およびスイッチ２２が直接取付けられる上下２段のスイッチ取付プレート４Ｄ，４Ｄと、カバー取付枠５Ｄと、カバープレート６Ｄとからなる。
【００２３】
上段のスイッチ取付プレート４Ｄは、横並びの２つのリモコン取付孔１１を有する。下段のスイッチ取付プレート４Ｄは、横並びの２つの複数連用スイッチ取付孔１０，１０および１つのリモコン取付孔１１と有する。下段の１つの複数連用スイッチ取付孔１０には３個の照明スイッチ２を取付け、他の１つの複数連用スイッチ取付孔１０には別の１個のスイッチ２２を取付ける。
上段の２つのリモコン取付孔１１および下段の１つのリモコン取付孔１１は、先の実施例の場合と同様であり、隣接する２つのスイッチ取付孔１０，１０の鎖線で示す孔間部分４ａを取付現場で切除することによってリモコン取付孔１１を形成してもよい。各リモコン取付孔１１には空調用リモートコントロールスイッチ１を取付ける。これら空調用リモートコントロールスイッチ１、照明スイッチ２およびスイッチ２２には、前記スイッチボックス３Ｄ内に引き込んだ対応する電気配線を接続する。
２つのスイッチボックス３Ｄ，３Ｄおよびスイッチ取付プレート４Ｄ，４Ｄは図２に示す第２の実施例の場合と同じ寸法のものであり、上下２段に並べて配置する。カバー取付枠５Ｄおよびカバープレート６Ｄは、全体の縦寸法が２倍になったのに合わせて、それらの縦寸法を２倍にしてある。カバープレート６Ｄにおいては、前記スイッチ取付プレート４Ｄにおける前記空調用リモートコントロールスイッチ１、照明スイッチ２およびスイッチ２２の配置に合わせて、これらのスイッチ１，２，２２の操作子等を露出させる開口１８，１７，１９が上下段に分けて配置されている。その他の構成は先の実施例と同様である。
【００２４】
このような構成によって、図７に示すように２個の空調用リモートコントロールスイッチ１が上段に横並びとなり、１個の空調用リモートコントロールスイッチ１と、縦１列の３個の照明スイッチ２と、別の１個のスイッチ２２とが下段に横並びとなる配列で、これらのスイッチを一か所に集中させて壁面に取り付けることができる。
【００２５】
なお、前記実施例において、縦に並べた２つのスイッチボックス３Ｄ，３Ｄに代えて、図８に分解して示す部材構成のように、縦寸法を先のスイッチボックス３Ｄの２倍とした１つのスイッチボックス３Ｄ1 を用いてもよい。その他の構成は前記実施例と同様である。
【００２６】
図９〜図２６はその他の実施例または参考提案例を示す。
図９は、１個の空調用リモートコントロールスイッチ１と、縦１列の３個の照明スイッチ２の２列分と、別の１個のスイッチ２２を１段の位置に横並びに配置した空調・照明スイッチボックス装置の実施例を示す。
図１０は、１個の空調用リモートコントロールスイッチ１と、縦１列の３個の照明スイッチ２の３列分と、別の１個のスイッチ２２を１段の位置に横並びに配置した空調・照明スイッチボックス装置の実施例を示す。
図１１は、２個の空調用リモートコントロールスイッチ１と、縦１列の３個の照明スイッチ２とを１段の位置に横並びに配置した空調・照明スイッチボックス装置の実施例を示す。
【００２７】
図１２は、３個の空調用リモートコントロールスイッチ１を１段の位置に横並びに配置した空調・照明スイッチボックス装置の実施例を示す。
図１３は、１個の空調用リモートコントロールスイッチ１を上段位置に、縦１列の３個の照明スイッチ２の３列分と、別の１個のスイッチ２２を下段位置に横並びに配置した空調・照明スイッチボックス装置の参考提案例を示す。
図１４は、２個の空調用リモートコントロールスイッチ１を上下段に分けて配置した空調・照明スイッチボックス装置の実施例を示す。
図１５は、２個の空調用リモートコントロールスイッチ１を上段位置に、別の２個の空調用リモートコントロールスイッチ１を下段位置に分けて配置した空調・照明スイッチボックス装置の実施例を示す。
【００２８】
図１６は、１個の空調用リモートコントロールスイッチ１と、縦１列の３個の照明スイッチ２と、別の１個のスイッチ２２を上段位置に横並びに、別の２個の空調用リモートコントロールスイッチ１を下段位置に横並びに分けて配置した空調・照明スイッチボックス装置の実施例を示す。
図１７は、１個の空調用リモートコントロールスイッチ１と、縦１列の３個の照明スイッチ２と、別の１個のスイッチ２２を上段位置に横並びに、別の１個の空調用リモートコントロールスイッチ１を下段位置に分けて配置した空調・照明スイッチボックス装置の実施例を示す。
図１８は、１個の空調用リモートコントロールスイッチ１と、縦１列の３個の照明スイッチ２と、別の１個のスイッチ２２を上段位置に横並びに、別の１個の空調用リモートコントロールスイッチ１と、縦１列の３個の照明スイッチ２と、１個のスイッチ２２を下段位置に横並びに分けて配置した空調・照明スイッチボックス装置の実施例を示す。
図１９は、２個の空調用リモートコントロールスイッチ１を上段位置に横並びに、縦１列の３個の照明スイッチ２と、別の１個のスイッチ２２を下段位置に横並びに分けて配置した空調・照明スイッチボックス装置の実施例を示す。
【００２９】
図２０は、２個の空調用リモートコントロールスイッチ１を上段位置に横並びに、縦１列の３個の照明スイッチ２の３列分と、別の１個のスイッチ２２とを下段位置に横並びに分けて配置した空調・照明スイッチボックス装置の実施例を示す。
図２１は、２個の空調用リモートコントロールスイッチ１と縦１列の３個の照明スイッチ２とを上段位置に横並びに、別の２個の空調用リモートコントロールスイッチ１と縦１列の３個の照明スイッチ２とを下段位置に横並びに分けて配置した空調・照明スイッチボックス装置の実施例を示す。
図２２は、２個の空調用リモートコントロールスイッチ１と縦１列の３個の照明スイッチ２と別の１個のスイッチ２２を上段位置に横並びに、別の２個の空調用リモートコントロールスイッチ１と縦１列の３個の照明スイッチ２と１個のスイッチ２２を下段位置に横並びに分けて配置した空調・照明スイッチボックス装置の実施例を示す。
【００３０】
図２３は、１個の空調用リモートコントロールスイッチ１と縦１列の３個の照明スイッチ２の３列分と別の１個のスイッチ２２を上段位置に横並びに、別の３個の空調用リモートコントロールスイッチ１を下段位置に横並びに分けて配置した空調・照明スイッチボックス装置の実施例を示す。
図２４は、３個の空調用リモートコントロールスイッチ１を上段位置に横並びに、別の１個の空調用リモートコントロールスイッチ１と縦１列の３個の照明スイッチ２の３列分と１個のスイッチ２２を下段位置に横並びに分けて配置した空調・照明スイッチボックス装置の実施例を示す。
図２５は、３個の空調用リモートコントロールスイッチ１を上段位置に横並びに、別の２個の空調用リモートコントロールスイッチ１と縦１列の３個の照明スイッチ２と１個のスイッチ２２を下段位置に横並びに分けて配置した空調・照明スイッチボックス装置の実施例を示す。
図２６は、３個の空調用リモートコントロールスイッチ１を上段位置に横並びに、縦１列の３個の照明スイッチ２の５列分と別の１個のスイッチ２２を下段位置に横並びに分けて配置した空調・照明スイッチボックス装置の実施例を示す。
【００３１】
なお、図１３ないし図２６に示す各実施例は、スイッチボックスおよびスイッチ取付プレートを、各々上下２段に並べたものとすることが好ましい。これにより、規格品が使用できる。その場合、スイッチ取付プレートのリモコン取付孔は、前記各実施例と同様に２個のスイッチ取付孔を、その孔間部分の切除によって１個のリモコン取付孔に形成する。
【００３２】
【発明の効果】
この発明の請求項１の空調・照明スイッチボックス装置は、前面が開口した埋込型のスイッチボックスと、スイッチ取付孔およびリモンコン取付孔を有し前記スイッチボックスの前面に取付けられるスイッチ取付プレートと、このスイッチ取付プレートの前記スイッチ取付孔に嵌め込み状に取付けられる照明スイッチと、前記スイッチ取付プレートのリモコン取付孔に嵌め込み状態に取付けられる空調用リモートコントロールスイッチと、前記照明スイッチおよび空調用リモートコントロールスイッチの操作子を露出させて前記スイッチ取付プレートの外側から前記スイッチボックスを覆うカバープレートとを設けたため、照明スイッチと空調用リモートコントロールスイッチを、一か所に集中させて取付けることができて、納まりの見栄えが良く、壁面の取付スペースも小さくて済み、施工性の向上を図れるという効果がある。
また、スイッチ取付プレートに、複数個の照明スイッチを一列に嵌め込んで取付可能な細長形状の複数連用のスイッチ取付孔を設け、前記リモコン取付孔を、前記複数連用スイッチ取付孔の長辺の横側に並んで設けられて、並び間隔と前記複数連用スイッチ取付孔の短辺幅の２倍の幅とを加えた並び方向幅、および複数連用スイッチ取付孔の長辺幅に等しい並び方向直交幅の矩形孔としたため、通常の照明スイッチ用等の規格品のスイッチ取付プレートを簡単に改造してリモコン取付孔およびスイッチ取付孔を有するスイッチ取付プレートとできる。そのため、部品管理も容易で、コスト低下が図れる。
請求項２の空調・照明スイッチボックス装置は、スイッチ取付プレートを複数個並設し、前記カバープレートを前記複数のスイッチ取付プレートにわたって覆う大きさのものとしたため、規格品等の制限内の大きさのスイッチ取付プレートを用いて多数の照明スイッチと空調用リモートコントロールスイッチを１か所に集中させて取付けることができる。
請求項３の空調・照明スイッチボックス装置は、スイッチ取付プレートのスイッチ取付孔に、照明スイッチ以外のスイッチを取付けたため、スイッチ取付プレートとして一種類のものを用意するだけで、照明スイッチ以外のスイッチや他の電気部品も取付けることができる。
請求項４の発明装置は、請求項１記載の空調・照明スイッチボックス装置において、スイッチ取付プレートに複数連用のスイッチ取付孔を設けずに、前記形状のリモコン取付孔を複数設けたため、照明スイッチは取付けられないが、照明スイッチ用の規格品のスイッチ取付プレートを簡単に改造して複数の空調用リモートコントロールスイッチを取付けることができる。
また、この発明の施工方法は、前記スイッチ取付プレートとして、複数連用のスイッチ取付孔がその長辺の横側に並んで３個以上設けられかつ前記リモコン取付孔が未形成のものを準備し、隣合う２個のスイッチ取付孔間の部分を切除して１個の大きなリモコン取付孔とする方法であるため、スイッチ取付プレートとして一般の照明スイッチ用の規格を簡単に改造して使用でき、コスト低下と部品管理の容易を図ることができる。
【図面の簡単な説明】
【図１】  （Ａ）はこの発明の第１の実施例に係る空調・照明スイッチボックス装置の分解斜視図、（Ｂ）は同装置の正面図である。
【図２】  （Ａ）はこの発明の第２の実施例に係る空調・照明スイッチボックス装置の分解正面図、（Ｂ）は同装置の正面図である。
【図３】  （Ａ）はこの発明の第３の実施例に係る空調・照明スイッチボックス装置の分解正面図、（Ｂ）は同装置の正面図である。
【図４】  （Ａ）は参考提案例に係る空調・照明スイッチボックス装置の分解正面図、（Ｂ）は同装置の正面図である。
【図５】  同参考提案例の変形例を示す分解正面図である。
【図６】  この発明のさらに他の実施例に係る空調・照明スイッチボックス装置の分解正面図である。
【図７】  前記実施例の正面図である。
【図８】  同実施例の変形例を示す分解正面図である。
【図９】  この発明のさらに他の実施例に係る空調・照明スイッチボックス装置の正面図である。
【図１０】  この発明のさらに他の実施例に係る空調・照明スイッチボックス装置の正面図である。
【図１１】  この発明のさらに他の実施例に係る空調・照明スイッチボックス装置の正面図である。
【図１２】  この発明のさらに他の実施例に係る空調・照明スイッチボックス装置の正面図である。
【図１３】  この発明のさらに他の参考提案例に係る空調・照明スイッチボックス装置の正面図である。
【図１４】  この発明のさらに他の実施例に係る空調・照明スイッチボックス装置の正面図である。
【図１５】  この発明のさらに他の実施例に係る空調・照明スイッチボックス装置の正面図である。
【図１６】  この発明のさらに他の実施例に係る空調・照明スイッチボックス装置の正面図である。
【図１７】  この発明のさらに他の実施例に係る空調・照明スイッチボックス装置の正面図である。
【図１８】  この発明のさらに他の実施例に係る空調・照明スイッチボックス装置の正面図である。
【図１９】  この発明のさらに他の実施例に係る空調・照明スイッチボックス装置の正面図である。
【図２０】  この発明のさらに他の実施例に係る空調・照明スイッチボックス装置の正面図である。
【図２１】  この発明のさらに他の実施例に係る空調・照明スイッチボックス装置の正面図である。
【図２２】  この発明のさらに他の実施例に係る空調・照明スイッチボックス装置の正面図である。
【図２３】  この発明のさらに他の実施例に係る空調・照明スイッチボックス装置の正面図である。
【図２４】  この発明のさらに他の実施例に係る空調・照明スイッチボックス装置の正面図である。
【図２５】  この発明のさらに他の実施例に係る空調・照明スイッチボックス装置の正面図である。
【図２６】  この発明のさらに他の実施例に係る空調・照明スイッチボックス装置の正面図である。
【図２７】  （Ａ）は照明スイッチ取付装置の従来例を示す縦断面図、（Ｂ）は同取付装置の分解斜視図である。
【図２８】  （Ａ），（Ｂ）は空調用リモートコントロールスイッチの平面図および正面図、（Ｃ）は同スイッチ取付構造の側面図である。
【符号の説明】
１…空調用リモートコントロールスイッチ、２…照明スイッチ、３，３Ａ，３Ｂ，３Ｃ，３Ｃ1 ，３Ｄ，３Ｄ1 …スイッチボックス、４，４Ａ，４Ｂ，４Ｃ，４Ｄ…スイッチ取付プレート、６，６Ａ，６Ｂ，６Ｃ，６Ｄ…カバープレート、１０…スイッチ取付孔、１１…リモコン取付孔
【図１】
0003841847.tif 000002
【図２】
0003841847.tif 000003
【図３】
0003841847.tif 000004
【図４】
0003841847.tif 000005
【図５】
0003841847.tif 000006
【図６】
0003841847.tif 000007
【図７】
0003841847.tif 000008
【図８】
0003841847.tif 000009
【図９】
0003841847.tif 000010
【図１０】
0003841847.tif 000011
【図１１】
0003841847.tif 000012
【図１２】
0003841847.tif 000013
【図１３】
0003841847.tif 000014
【図１４】
0003841847.tif 000015
【図１５】
0003841847.tif 000016
【図１６】
0003841847.tif 000017
【図１７】
0003841847.tif 000018
【図１８】
0003841847.tif 000019
【図１９】
0003841847.tif 000020
【図２０】
0003841847.tif 000021
【図２１】
0003841847.tif 000022
【図２２】
0003841847.tif 000023
【図２３】
0003841847.tif 000024
【図２４】
0003841847.tif 000025
【図２５】
0003841847.tif 000026
【図２６】
0003841847.tif 000027
【図２７】
0003841847.tif 000028
【図２８】
0003841847.tif 000029